(57)【特許請求の範囲】
【請求項１】
小型の可搬型脱臭器であって、
空気が通過することで、該空気中の臭気を吸着する脱臭部と、
前記脱臭部を保持する略ラケット状の本体部と、を備え、
前記本体部の主面における前記脱臭部が位置する領域の周縁部に、当該周縁部の端部に向かうにつれて拡開するテーパ部を有し、
前記本体部は、正面側本体部及び背面側本体部が組み合わされており、前記正面側本体部及び前記背面側本体部はともに、複数の環状片がそれぞれ隙間を有して配置されてなることを特徴とする可搬型脱臭器。
【請求項２】
前記脱臭部は、前記正面側本体部と前記背面側本体部との間に挟み込んで保持されることを特徴とする請求項１に記載の可搬型脱臭器。
【請求項３】
前記本体部は、手で持つための手持ち部を着脱自在に備えたことを特徴とする請求項１又は２に記載の可搬型脱臭器。
【請求項４】
前記脱臭部を保持した前記本体部に手持ち扇風機を着脱自在に取付け可能であることを特徴とする請求項１−３のいずれかに記載の可搬型脱臭器。
【請求項５】
空気が通過することで該空気中の臭気を吸着する脱臭部を保持する略ラケット状の本体部を備え、前記本体部の主面における前記脱臭部が位置する領域の周縁部に、当該周縁部の端部に向かうにつれて拡開するテーパ部を有し、前記本体部は、正面側本体部及び背面側本体部が組み合わされており、前記正面側本体部及び前記背面側本体部はともに、複数の環状片がそれぞれ隙間を有して配置されてなる可搬型脱臭器を準備し、
前記可搬型脱臭器を振ることで空気中の臭気を脱臭することを特徴とする脱臭方法。
【発明の詳細な説明】
【技術分野】
【０００１】
本発明は、手軽に持ち運べる小型の可搬型脱臭器、及び脱臭方法に関するものである。
【背景技術】
【０００２】
日常生活において、食べ物の匂い、犬や猫など動物の匂い、又は汗の匂い等の嫌な臭気に遭遇する場合がある。
【０００３】
特許文献１には、板状のフィルタに吸引ファンから空気を送って脱臭する空気清浄機が記載されている。
【先行技術文献】
【特許文献】
【０００４】
特許文献１：特開２０１４−２３３４５９号公報
【発明の概要】
【発明が解決しようとする課題】
【０００５】
しかしながら、特許文献１に記載のものは、吸引ファンを駆動するための電源が必要になるとともに、大きくて持ち運びに適さないという問題があった。
【０００６】
本発明は、上記問題点を解決して、電源を必要とせず手軽に持ち運べる小型の可搬型脱臭器、及び脱臭方法を実現することを課題とする。
【課題を解決するための手段】
【０００７】
上記課題を解決するために本発明は、小型の可搬型脱臭器であって、
空気が通過することで、該空気中の臭気を吸着する脱臭部と、
前記脱臭部を保持する略ラケット状の本体部と、を備え、
前記本体部の主面における前記脱臭部が位置する領域の周縁部に、当該周縁部の端部に向かうにつれて拡開するテーパ部を有し、
前記本体部は、正面側本体部及び背面側本体部が組み合わされており、前記正面側本体部及び前記背面側本体部はともに、複数の環状片がそれぞれ隙間を有して配置されてなることを特徴とする可搬型脱臭器を提供するものである。
【０００８】
この構成により、手で持って振ることによって、電源を必要とせず手軽に持ち運べる小型の可搬型脱臭器を実現することができる。
また、複数の環状片で構成されることで、空気を通り易くでき、当該可搬脱臭器を容易に振ることができる。
【００１１】
可搬型脱臭器であって、前記脱臭部は、前記正面側本体部と前記背面側本体部との間に挟み込んで保持される構成としてもよい。
【００１２】
この構成により、簡単な構成で脱臭部を本体部に確実に保持することができる。
【００１３】
可搬型脱臭器であって、前記本体部は、手で持つための手持ち部を着脱自在に備えた構成としてもよい。
【００１４】
この構成により、手持ち部を手で持つことで、当該可搬脱臭器を容易に振ることができる。また、着脱自在とすることで鞄などに収納する場合に便利である。
【００１５】
可搬型脱臭器であって、前記脱臭部を保持した前記本体部を手持ち扇風機に着脱自在に取付け可能である構成としてもよい。
【００１６】
この構成により、手持ち扇風機に取付けることで、手持ち扇風機による風を利用して風に含まれる臭気を楽に脱臭することができる。また、着脱自在とすることで鞄などに収納する場合に便利である。
【００１７】
また、上記課題を解決するために本発明は、空気が通過することで該空気中の臭気を吸着する脱臭部を保持する略ラケット状の本体部を備え、前記本体部の主面における前記脱臭部が位置する領域の周縁部に、当該周縁部の端部に向かうにつれて拡開するテーパ部を有し、前記本体部は、正面側本体部及び背面側本体部が組み合わされており、前記正面側本体部及び前記背面側本体部はともに、複数の環状片がそれぞれ隙間を有して配置されてなる可搬型脱臭器を準備し、
前記可搬型脱臭器を振ることで空気中の臭気を脱臭することを特徴とする脱臭方法を提供するものである。
【００１８】
この構成により、手で持って振ることによって、電源を必要とせず手軽に持ち運んで脱臭できる脱臭方法を実現することができる。
また、複数の環状片で構成されることで、空気を通り易くでき、当該可搬脱臭器を容易に振ることができる。
【発明の効果】
【００１９】
本発明の可搬型脱臭器、及び脱臭方法により、電源を必要とせず手軽に持ち運べて手軽に脱臭することができる。
【図面の簡単な説明】
【００２０】
【図１】本発明の実施例１における可搬型脱臭器を説明する（ａ）正面図、（ｂ）側面図である。
【図２】（ａ）は、本発明の実施例１におけるテーパ部の要部を説明する図で、（ｂ）は、変形例を説明する図である。
【図３】本発明の実施例１における可搬型脱臭器の正面側を説明する斜視図である。
【図４】本発明の実施例１における可搬型脱臭器の背面側を説明する斜視図である。
【図５】本発明の実施例１における可搬型脱臭器の正面側を説明する分解図である。
【図６】本発明の実施例１における可搬型脱臭器の背面側を説明する分解図である。
【図７】本発明の実施例２における可搬型脱臭器に手持ち扇風機を取付けた図である。
【発明を実施するための形態】
【実施例１】
【００２１】
本発明の実施例１について、図１〜図６を参照して説明する。図１は、本発明の実施例１における可搬型脱臭器を説明する（ａ）正面図、（ｂ）側面図である。図２は（ａ）は、本発明の実施例１におけるテーパ部の要部を説明する図で、（ｂ）は、変形例を説明する図である。図３は、本発明の実施例１における可搬型脱臭器の正面側を説明する斜視図である。図４は、本発明の実施例１における可搬型脱臭器の背面側を説明する斜視図である。図５は、本発明の実施例１における可搬型脱臭器の正面側を説明する分解図である。図６は、本発明の実施例１における可搬型脱臭器の背面側を説明する分解図である。
【００２２】
（可搬型脱臭器）
実施例１における可搬型脱臭機１００は、落ち運びが容易で電源を必要としない小型の可搬型脱臭器である。可搬型脱臭機１００は、空気が通過することで、該空気中の臭気を吸着する脱臭部１０と、脱臭部１０を保持する略ラケット状で楕円形状の本体部２０と、を備えている。実施例１においては、本体部２０の両主面における脱臭部１０が位置する領域の周縁部に空気を当該脱臭部１０に導くテーパ部２１（Ａ、Ｂ）、２２（Ａ、Ｂ）、２３（Ａ、Ｂ）、２４（Ａ、Ｂ）を有している。
【００２３】
ここで、略ラケット状であるとは、略平坦形状で手で持って振りやすく、また、バトミントンやテニスのラケットのように、空気が通過しやすいことを表している。手で振りやすく、空気が通過しやすいことで、脱臭部に空気が通り易く、効率的に脱臭することができる。
【００２４】
脱臭部１０は、カーボンを主成分とし、ハニカム構造を有して、略四角柱形状の外形を有している。この脱臭部１０のいずれかの主面から臭気を含んだ空気を通過させることにより、臭気をカーボンに吸着させることで、脱臭することができる。そして、吸着した臭気は太陽光に当てることで、吸着を解除され、再利用することが可能である。また、後述のように、脱臭部１０は着脱自在に本体部２０に保持されているので、劣化等した場合に交換が容易である。
【００２５】
本体部２０は、ほぼ同サイズの合成樹脂製の正面側本体部２０Ａ、及び合成樹脂製の背面側本体部２０Ｂを対向させて組み合わされており、正面側本体部２０Ａは複数の環状片（正面側第１環状片２５Ａ、正面側第２環状片２６Ａ、正面側第３環状片２７Ａ）を有しているとともに、背面側本体部２０Ｂは複数の環状片（背面側第１環状片２５Ｂ、背面側第２環状片２６Ｂ、背面側第３環状片２７Ｂ）を有している。
【００２６】
つまり、正面側本体部２０Ａは、最も外側に、楕円杆としての正面側第１環状片２５Ａが配置され、その少し内側に正面側第１環状片２５Ａと隙間を空けて楕円杆としての正面側第２環状片２６Ａが配置されている。また、正面側第２環状片２６Ａの少し内側に正面側第２環状片２６Ａと隙間を空けて楕円杆としての正面側第３環状片２７Ａが配置されている。正面側第１環状片２５Ａ、正面側第２環状片２６Ａ、正面側第３環状片２７Ａは、相似形状をなしており、それぞれは、交差する方向に複数の棒状片で接続されて固定されている。
【００２７】
また同様に、背面側本体部２０Ｂは、最も外側に、楕円杆としての背面側第１環状片２５Ｂが配置され、その少し内側に背面側第１環状片２５Ｂと隙間を空けて楕円杆としての背面側第２環状片２６Ｂが配置されている。また、背面側第２環状片２６Ｂの少し内側に背面側第２環状片２６Ｂと隙間を空けて楕円杆としての背面側第３環状片２７Ｂが配置されている。背面側第１環状片２５Ｂ、背面側第２環状片２６Ｂ、背面側第３環状片２７Ｂは、相似形状をなしており、それぞれは、交差する方向に複数の棒状片で接続されて固定されている。
【００２８】
正面側本体部２０Ａ、及び背面側本体部２０Ｂは対向させて、脱臭部１０を挟み込みビス４０（４０Ａ、４０Ｂ、４０Ｃ、４０Ｄ）により固定することで、脱臭部１０を着脱自在に保持している。このとき、正面側第１環状片２５Ａと背面側第１環状片２５Ｂとは互いに重なり合い、また、正面側第２環状片２６Ａと背面側第２環状片２６Ｂとは互いに重なり合い、さらに、正面側第３環状片２７Ａと背面側第３環状片２７Ｂとは互いに重なり合って固定される。これにより、正面側第１環状片２５Ａ及び背面側第１環状片２５Ｂと、正面側第２環状片２６Ａ及び背面側第２環状片２６Ｂとの間の隙間はそのまま存在し、正面側第２環状片２６Ａ及び背面側第２環状片２６Ｂと、正面側第３環状片２７Ａ及び背面側第３環状片２７Ｂとの間の隙間もそのまま存在する。これらの隙間が存在することで、後述するように当該可搬型脱臭器１００を振ったときに、空気が隙間を通過することができ、空気の抵抗を減らし手で持って振り易くすることができる。
【００２９】
テーパ部２１Ａ、２２Ａ、２３Ａ、２４Ａは、正面側本体部２０Ａにおける外側（背面側本体部２０Ｂの反対側）において、脱臭部１０が位置する領域の周縁部に備えている。テーパ部２１Ａ、２２Ａ、２３Ａ、２４Ａは、正面側本体部２０Ａと一体となった合成樹脂で構成されている。実施例１におけるテーパ部２１Ａ、２２Ａ、２３Ａ、２４Ａの断面形状は、図２（ａ）に示すように、底面から直角を成す側面を有し、その側面の頂点から角度θ１にてテーパ面を有している。これにより、可搬型脱臭器１００を振ったときに、空気を集めやすくなっている。
【００３０】
また同様に、テーパ部２１Ｂ、２２Ｂ、２３Ｂ、２４Ｂは、背面側本体部２０Ｂにおける外側（正面側本体部２０Ａの反対側）において、脱臭部１０が位置する領域の周縁部に備えている。テーパ部２１Ｂ、２２Ｂ、２３Ｂ、２４Ｂは、背面側本体部２０Ｂと一体となった合成樹脂で構成されている。実施例１におけるテーパ部２１Ｂ、２２Ｂ、２３Ｂ、２４Ｂの断面形状は、図２（ａ）に示すように、底面から直角を成す側面を有し、その側面の頂点から角度θ１にてテーパ面を有している。これにより、可搬型脱臭器１００を振ったときに、空気を集めやすくなっている。
【００３１】
なお、実施例１においては、テーパ部２１Ａ、２２Ａ、２３Ａ、２４Ａ、及びテーパ部２１Ｂ、２２Ｂ、２３Ｂ、２４Ｂの断面形状が、底面から直角を成す側面を有し、その側面の頂点から角度θ１にてテーパ面を有している構成としたが、必ずしもこれに限定されず適宜変更が可能である。例えば、変形例として、図２（ｂ）に示すように、底面から角度θ２にて鈍角を有した側面と側面の頂点から角度θ３を有したテーパ面を有する構成としてもよく、風を集めやすいテーパ面を有していればよい。なお、実施例１における角度θ１は、４５°であるが、これも３０°や５０°でもよく任意の角度とすることができる。
【００３２】
また、実施例１においては、正面側本体部２０Ａ及び背面側本体部２０Ｂの両面（本体部の両主面）における脱臭部１０が位置する領域の周縁部にテーパ部を備えた構成としたが、必ずしもこれに限定されず適宜変更が可能である。例えば、正面側本体部２０Ａにのみテーパ部を備えた構成としてもよいし、背面側本体部２０Ｂにのみテーパ部を備えた構成としてもよい。
【００３３】
さらに実施例１においては、本体部２０が略ラケット状で楕円形状として構成したが、必ずしもこれに限定されず適宜変更が可能である。例えば、略ラケット状で円形状としてもよいし、略ラケット状で四角形状としてもよく、後述するように、手で持って振りやすい形状であればよい。
【００３４】
また、実施例１においては、テーパ部２１Ａ、２２Ａ、２３Ａ、２４Ａは、正面側本体部２０Ａと一体となった合成樹脂で構成され、テーパ部２１Ｂ、２２Ｂ、２３Ｂ、２４Ｂは、背面側本体部２０Ｂと一体となった合成樹脂で構成されるように構成したが、必ずしもこれに限定されず適宜変更が可能である。例えば、テーパ部２１Ａ、２２Ａ、２３Ａ、２４Ａを正面側本体部２０Ａにねじ止めなどの方法で取付けてもよいし、テーパ部２１Ｂ、２２Ｂ、２３Ｂ、２４Ｂを背面側本体部２０Ｂにねじ止めなどの方法で取付けてもよい。
【００３５】
正面側本体部２０Ａは、手で持つための手持ち部３０を着脱自在に保持可能なボルト３１を有している。手持ち部３０は、正面側手持ち部３０Ａと背面側手持ち部３０Ｂを対向させてビス４０Ｅ、４０Ｆでビス締めされており、ボルト３１は、正面側手持ち部３０Ａと背面側手持ち部３０Ｂとをねじ止めするとともに、本体部２０を手持ち部３０が挟み込んで固定することができる。
【００３６】
手持ち部３０を本体部２０に取付けることで、当該可搬型脱臭器を手で持って振ることが容易になり、テーパ部により効率的に空気を脱臭部に導いて臭気を脱臭することができる。また、着脱自在とすることで鞄などに収納する場合に便利である。
【００３７】
正面側本体部２０Ａの外側主面には、図３に示すように、扇風機押え具５０Ａ、及び扇風機押え具５０Ｂを備えている（図１には、扇風機押え具５０Ａ、５０Ｂの記載を省略している。）。扇風機押え具５０Ａ、及び扇風機押え具５０Ｂにより後述のように、手持ち扇風機Ｆを挟み込むことで着脱自在に保持することができる。
【００３８】
当該可搬型脱臭機を手持ち扇風機に取付けることで、手持ち扇風機による風を利用して風に含まれる臭気を楽に脱臭することができる。また、着脱自在とすることで鞄などに収納する場合に便利である。
【００３９】
なお、実施例１においては、脱臭部１０を略四角柱形状としたが、必ずしもこれに限定されず適宜変更が可能である。例えば、略円柱形状としてもよいし、略四角錘形状や略円錐形状としてもよい。
【００４０】
また、実施例１においては、本体部２０を正面側本体部２０Ａと背面側本体部２０Ｂとからなるように構成したが、必ずしもこれに限定されず適宜変更が可能である。例えば、一体型とし、脱臭部１０をいずれかの主面に取付ける構成としてもよい。
【００４１】
さらに、正面側本体部２０Ａ及び背面側本体部２０Ｂは、複数の環状片を備えた構成としたが、必ずしもこれに限定されず適宜変更が可能である。例えば、複数の放射状片を備える構成としてもよいし、又は網形状としてもよく、風ができるだけ通過できる構成とすればよい。
【００４２】
（脱臭方法）
まず、空気が通過することで該空気中の臭気を吸着する脱臭部を保持する略ラケット状の本体部を備え、前記本体部の面における脱臭部が位置する領域の周縁部にテーパ部を有した可搬型脱臭器１００を準備する。
【００４３】
そして、臭気のある場所において、可搬型脱臭器１００の手持ち部３０を手に持って臭気に向かって、可搬型脱臭器１００を振る。振る方向は、左右、上下、又は斜めのいずれでもよい。そうすると、臭気が脱臭部１０を通過する際に吸着されて脱臭される。従来は、電源を必要とする脱臭機であって、準備に手間がかかるとともに大型で持ち運びに不便であったが、可搬型脱臭器１００により、小型で持ち運びに便利で、電源を必要とせず、振るだけで脱臭することができる。また、手持ち部３０を備えたことで可搬型脱臭器１００を振りやすく、効率的に脱臭できる。
【００４４】
なお、実施例１においては、手持ち部３０を手に持って可搬型脱臭器１００を振って脱臭することとしたが、必ずしもこれに限定されず適宜変更が可能である。例えば、本体部２０を手に持って可搬型脱臭器１００を振って脱臭することとしてもよい。その場合は、可搬型脱臭器１００に手持ち部３０が取付けられていなくてもよい。
【００４５】
このように、実施例１においては、
小型の可搬型脱臭器であって、
空気が通過することで、該空気中の臭気を吸着する脱臭部と、
前記脱臭部を保持する略ラケット状の本体部と、を備え、
前記本体部の主面における前記脱臭部が位置する領域の周縁部にテーパ部を有したことを特徴とする可搬型脱臭器により、手で持って振ることによって、電源を必要とせず手軽に持ち運べる小型の可搬型脱臭器を実現することができる。
【００４６】
また、空気が通過することで該空気中の臭気を吸着する脱臭部を保持する略ラケット状の本体部を備え、前記本体部の主面における前記脱臭部が位置する領域の周縁部にテーパ部を有した可搬型脱臭器を準備し、
前記可搬型脱臭器を振ることで空気中の臭気を脱臭することを特徴とする脱臭方法により、手で持って振ることによって、電源を必要とせず手軽に持ち運んで脱臭できる脱臭方法を実現することができる。
【実施例２】
【００４７】
本発明の実施例２は、可搬型脱臭器に手持ち扇風機を着脱可能に取付けた点で実施例１と異なっている。実施例２について、図７を参照して説明する。図７は、本発明の実施例２における可搬型脱臭器に手持ち扇風機を取付けた図である。
【００４８】
前述のように、正面側本体部２０Ａの外側主面には、図３に示すように、扇風機押え具５０Ａ、及び扇風機押え具５０Ｂを備えている。そして、扇風機押え具５０Ａ、及び扇風機押え具５０Ｂにより、市販されている手持ち扇風機Ｆを挟み込んで着脱自在に保持することができる。
【００４９】
これにより、手で振ることなく、手持ち扇風機Ｆが発生させる風により、臭気を含む空気が脱臭部１０を通過して、容易に臭気を脱臭することができる。また、自然なふるまいで口臭を脱臭することができておしゃれである。
【００５０】
このように、実施例２においては、可搬型脱臭器であって、前記脱臭部を保持した前記本体部を手持ち扇風機に着脱自在に取付け可能である構成としたことで、手持ち扇風機による風を利用して風に含まれる臭気を楽に脱臭することができる。また、着脱自在とすることで鞄などに収納する場合に便利である。
【産業上の利用可能性】
【００５１】
本発明における可搬型脱臭器、及び脱臭方法は、臭気を脱臭する分野に広く用いることができる。
【符号の説明】
【００５２】
１０：脱臭部    
２０：本体部    ２０Ａ：正面側本体部    ２０Ｂ：背面側本体部    
２１Ａ〜２４Ａ：正面側テーパ部    ２１Ｂ〜２４Ｂ：背面側テーパ部    
２５Ａ：正面側第１環状片    
２６Ａ：正面側第２環状片    
２７Ａ：正面側第３環状片    
２５Ｂ：背面側第１環状片    
２６Ｂ：背面側第２環状片    
２７Ｂ：背面側第３環状片    
３０：手持ち部    ３０Ａ：正面側手持ち部    ３０Ｂ：背面側手持ち部    
３１：ボルト    
４０（４０Ａ〜４０Ｆ）：ビス    
５０（５０Ａ、５０Ｂ）：扇風機押え具    
Ｆ：手持ち扇風機
【要約】
【課題】手で持って振ることによって、電源を必要とせず手軽に持ち運べる小型の可搬型脱臭器、及び脱臭方法を実現することを課題とする。
【解決手段】小型の可搬型脱臭器１００であって、空気が通過することで、該空気中の臭気を吸着する脱臭部１０と、前記脱臭部を保持する略ラケット状の本体部２０と、を備え、前記本体部２０の主面における前記脱臭部１０が位置する領域の周縁部にテーパ部２１Ａ〜２４Ａを有したことを特徴とする可搬型脱臭器１００とした。
【選択図】図１【図１】
0006838719.tif 000002
【図２】
0006838719.tif 000003
【図３】
0006838719.tif 000004
【図４】
0006838719.tif 000005
【図５】
0006838719.tif 000006
【図６】
0006838719.tif 000007
【図７】
0006838719.tif 000008